(57)【特許請求の範囲】
【請求項１】
蓋部と容器部とを嵌合可能に形成される包装容器であって、
前記蓋部が前記容器部を蓋することで前記包装容器を構成する一面が形成され、
前記包装容器を構成する一面に対する側面であって、前記蓋部と前記容器部とのいずれか一方の側面には切り欠き部が設けられ、
前記切り欠き部を設けない部の前記包装容器を構成する一面の一端が前記切り欠き部に挿入されることで嵌合可能とされる包装容器。
【請求項２】
請求項１に記載の包装容器であって、
前記切り欠き部を設けない部の包装容器を構成する一面の一端は突出部が形成されてなる包装容器。
【請求項３】
請求項１または２に記載の包装容器であって、
前記切り欠き部は、前記切り欠き部側面形成面と前記切り欠き部側面との境界線付近に設けられる包装容器。
【発明の詳細な説明】
【技術分野】
【０００１】
本発明は、包装容器、特に蓋部と容器部とを嵌合可能に形成される包装容器に関する。
【背景技術】
【０００２】
蓋部と容器部とを嵌合可能に形成され、菓子などの内容物がその容器部に包含される包装容器、例えば紙製包装容器が知られている。紙製包装容器には、様々なものがあるが、例えば、下記特許文献１〜３に挙げられるように、一枚の紙から折り目に沿って組み立てられる直方体形状の紙箱からなるものが挙げられる。
【０００３】
組み立てられる直方体形状の紙箱からなる紙製包装容器には、そのメインとなる一面が紙２面を両端面をそのメインとなる一面で嵌合させるようにして封をし、直方体形状の紙製包装容器を形成させるものが知られている。
【０００４】
消費者は、菓子などの内容物を取り出したいときには、この嵌合構造を解除して封を開け、紙製包装容器の内部に収容された菓子などの内容物を取り出すことができる。
【特許文献１】特開２００１−２０５６号公報
【特許文献２】特開２０００−２７２６１８号公報
【特許文献３】特開２００３−１７０９２９号公報
【発明の開示】
【発明が解決しようとする課題】
【０００５】
しかしながら、上記嵌合構造は消費者にとって意匠性の障害となる場合がある。したがって、可能な限り嵌合構造を目立たないものとすることが必要となる場合がある。
【０００６】
本発明は、上記課題に鑑みてなされたものであり、意匠性を向上するなどの新たな嵌合構造を有する包装容器を提供することを主な目的とする。
【課題を解決するための手段】
【０００７】
本発明は、蓋部と容器部とを嵌合可能に形成される包装容器であって、前記蓋部が前記容器部を蓋することで前記包装容器を構成する一面が形成され、前記包装容器を構成する一面に対する側面であって、前記蓋部と前記容器部とのいずれか一方の側面には切り欠き部が設けられ、前記切り欠き部を設けない部の前記包装容器を構成する一面の一端が前記切り欠き部に挿入されることで嵌合可能とされることを特徴とする。
【０００８】
前記切り欠き部を設けない部の包装容器を構成する一面の一端は、前記切り欠き部を設けない部の包装容器を構成する一面の一端は突出部が形成されてなると好適である。
【０００９】
前記切り欠き部は、前記切り欠き部側面形成面と前記切り欠き部側面との境界線付近に設けられると好適である。
【発明の効果】
【００１０】
本発明によれば、意匠性を向上するなどの新たな嵌合構造を有する包装容器を提供できる。
【発明を実施するための最良の形態】
【００１１】
以下、本発明の実施の形態を図面に基づいて説明する。なお、本実施形態については、本発明を実施するための一形態に過ぎず、本発明は本実施形態によって限定されるものではない。
【００１２】
「紙製包装容器」
図１は、本実施形態として包装容器、紙製包装容器１が示される紙製包装容器１は、略直方体の形状を有し、図３に示されるように、その内部に内容物として表面を包装された菓子３３を有している。紙製包装容器１は、菓子３３が収容される容器部４と、収容部４を蓋する蓋部２とから構成されている。
【００１３】
容器部４は、主として、底面板１２、底面側面板１１、底面側面板１１の対面となる底面側面板１３とからなる容器下部と、容器上面板１８、容器側面板１９、容器側面板１９の対面となる容器側面板２０、紙製包装容器１を蓋部２を上部として直立させた場合に底面となる容器側面板１５とからなる容器上部、の容器上部と容器下部の二部から構成されている。
【００１４】
容器部４は、容器下部の底面側面板１１、底面側面板１３の外周面にそれぞれ、容器上部の容器側面板１９、容器側面板２０の内周面が重なることで構成されている。
【００１５】
蓋部２は、主として、蓋上面板２５、蓋側面板２６、蓋側面板２６の対面となる蓋側面板２７、紙製包装容器１を立てた場合の頭部面となる蓋側面板１４とから構成されている。
【００１６】
紙製包装容器１は、上面の一面が容器部４の容器上面板１８と蓋部２の蓋上面板２５の２面の蓋上面板２５の一部が上面となるように重なることによって構成されている。
【００１７】
容器部４と蓋部２とは、嵌合構造をとることで固定させられる。この嵌合構造とは、容器上面板１８に設けられた突出部２１、突出部２２が、それぞれ蓋側面板２６、蓋側面板２７に設けられた切り欠き部３０、切り欠き部３１に挿入されることで嵌合される構造である。本実施形態では突出部２１、２２は容器側面板１９、容器側面板２０よりも外側まで形成された構造、すなわち突出部は側面よりも外側に形成された構造となっている。
【００１８】
図１に示される紙製包装容器１について、前記嵌合構造を解除することで図３に示されるように蓋部２が開かれて、消費者は容器部４内部の菓子を取り出すことができる。取り出した後は、再び蓋部２を閉めて、容器部４との嵌合構造による固定状態に戻すことで図１に示される紙製包装容器１の蓋された状態とすることができる。
【００１９】
「展開図」
紙製包装容器１は、図２に示される展開図の状態で、その外寸などが設計されている。図２に示される紙製包装容器１の展開図は、コートボール、チップボール、段ボールなどの紙を図２に示す展開図にしたがって打ち抜いたものである。紙製包装容器１は、図２の展開図の打ち抜き紙を折り目に沿って折り込み、所定部分を接着して組み立てられる。本実施形態において、以下述べる、折り目はミシン目または半切れで構成されている。
【００２０】
図２の展開図について説明する（以下、展開図において、紙面に開示されている方向を紙面側、その裏面を反対面側とする。）。
【００２１】
底面側面板１１の下端縁に底面板１２および底面側面板１３が折り目ａ，ｂを介して順に連設される。
【００２２】
底面板１２の右端縁に容器側面板１５、容器上面板１８が折り目ｄ，ｅを介して順に連設される。容器側面板１５の上端縁には糊代１６および下端縁には糊代１７がそれぞれ折り目ｆ，ｇを介して連設される。容器上面板１８の上端縁には容器側面板１９および下端縁には容器側面板２０がそれぞれ折り目ｈ，ｉを介して連設される。容器上面板１８には、上端縁または下端縁であって、かつ、右端縁に折り目を介さずに広がっている突出部２１、突出部２２が形成されている。突出部２１と容器側面板１９の間、突出部２２と容器側面板２０の間は、それぞれ切り溝２８、２９が形成されて切断されて区別されている。
【００２３】
糊代１６および１７は、後述の反対面側のみに接着剤が塗布される糊代１６ａ、１７ａ、後述の紙面側と反対面側の両面に接着剤が塗布される糊代１６ｂ、１７ｂとに切り溝が設けられて横方向に分離されている。
【００２４】
底面板１２の左端縁に蓋側面板１４、蓋上面板２５が折り目ｃ，ｌを介して順に連設される。蓋側面板１４の上端縁には糊代２３および下端縁には糊代２４がそれぞれ折り目ｊ，ｋを介して連設される。蓋上面板２５の上端縁には蓋側面板２６および下端縁には蓋側面板２７がそれぞれ折り目ｍ，ｎを介して連設される。
【００２５】
蓋側面板２６、蓋側面板２７には折り目ｍ，ｎの左端縁上からそれぞれの側面板側に向かってそれぞれ切り欠き部３０、３１が形成されている。また、蓋側面板２６、蓋側面板２７の左端縁であって、それぞれ上端縁、下端縁には屈曲した外周で形成されるＲ形状３２、３４が形成されている。
【００２６】
図２の展開図において、右端縁側から、容器上面板１８、容器側面板１５、底面板１２、蓋上面板２５が折り目ｅ、ｄ、ｃ、ｌの順に連設されているのに対し、これら板の上端縁と下端縁に連設される板同士は、横方向に連設されていない。上端縁は、右端縁側から、容器側面板１９、糊代１６ｂ、糊代１６ａ、底面側面板１１、糊代２３、蓋側面版２６は、切り溝が設けられ、横方向に連設されていない構造となっている。また、下端縁は、右端縁側から、容器側面板２０、糊代１７ｂ、糊代１７ａ、底面側面板１３、糊代２４、蓋側面版２７は、切り溝が設けられ、横方向に連設されていない構造となっている。
【００２７】
「容器部の組み立て方法」
容器部４の組み立て方法について説明する。図２の展開図について、糊代１６ａおよび糊代１７ａの反対面側に接着剤を塗布する。の紙面側、反対面側の両面に接着剤を塗布する。糊代１６ｂおよび糊代１７ｂの紙面側に塗布される接着剤は、反対面側に塗布される接着剤よりも接着力が弱いものが好ましい。後述の容器部４の解体の際に、糊代１６ｂおよび糊代１７ｂの紙面側は、底面側面板１１および底面側面板１３の反対面と剥がれるなどの理由による。
【００２８】
接着剤としては、特に限られることなく一般的なものを適宜選択して適用できる。例えば、アクリル系接着剤、ゴム系接着剤、シリコーン系、ウレタン系接着剤等の接着剤などが挙げられる。
【００２９】
上述のように接着剤が塗布された糊代１６ａ、１６ｂおよび糊代１７ａ、１７ｂをそれぞれ容器側面板１５に対して折り目ｆ，ｇに沿って谷折りして垂直に起立させる。
【００３０】
底面側面板１１および底面側面板１３を底面板１２に対してそれぞれ折り目ａ，ｂに沿って谷折りして垂直に起立させる。容器側面板１９および容器側面板２０を容器上面板１８に対してそれぞれ折り目ｈ，ｉに沿って谷折りして垂直に起立させる。
【００３１】
容器側面板１５を底面板１２に対して折り目ｄに沿って谷折りして垂直に起立させる。容器上面板１８を容器側面板１５対して折り目ｅに沿って谷折りして垂直に起立させる。
【００３２】
垂直に起立させた後、糊代１６ａの反対面側と底面側面板１１の紙面側、および、糊代１７ａの反対面側と底面側面板１３の紙面側とを塗布された接着剤により接着する。この接着により、底面側面板１１、底面側面板１３および容器側面板１５の垂直起立状態を維持する。
【００３３】
これと同時に、糊代１６ｂの紙面側と底面側面板１１の反対面側とを接着する。糊代１７ｂの紙面側と底面側面板１３の反対面側とを接着する。さらに糊代１６ｂの反対面側と容器側面板１９の紙面側とを接着、糊代１７ｂの反対面側と容器側面板２０の紙面側とを接着する。このようにして、図３に示される容器部４が製造される。
【００３４】
容器部４には、菓子３３が内容物として収容される。菓子３３は特に限られることなく適宜選択されるが、例えば、スティク形状やブロック形状等のチョコレートやビスケット等の菓子類などが挙げられる。菓子以外にも特に限定されることなく、収容物を収容する容器として使用でき、例えば日常品などの収容に用いると好適である。なお、本願図面では模式的に菓子３３を一つ入れた状態で示しているが、一般には複数個の菓子３３が充填されている。
【００３５】
「蓋部の組み立て方法」
蓋部２の組み立て方法について説明する。図２の展開図について、糊代２３および糊代２４の反対面側に接着剤を塗布する。
【００３６】
糊代２３および糊代２４をそれぞれ蓋側面板１４に対して折り目ｊ，ｋに沿って谷折りして垂直に起立させる。蓋側面板２６および蓋側面板２７を蓋上面板２５に対してそれぞれ折り目ｍ，ｎに沿って谷折りして垂直に起立させる。
【００３７】
蓋上面板２５を蓋側面板１４に対して折り目ｌに沿って谷折りして垂直に起立させる。垂直に起立させた後、糊代２３の反対面側と蓋側面板２６の紙面側、および、糊代２４の反対面側と蓋側面板２７の紙面側とを塗布された接着剤により接着する。この接着により、蓋側面板２６、蓋側面板２７および蓋上面板２５の垂直起立状態を維持する。このようにして、図３に示される蓋部２が組み立てられる。
【００３８】
「蓋の開閉方法」
紙製包装容器１の蓋部２の開閉方法について説明する。図４〜６には紙製包装容器１の蓋部２の開閉方法を説明する説明図が示される。ここで図４は、図１および図３において、Ｘ方向の矢視図である。
【００３９】
蓋部２により紙製包装容器１に蓋をする場合には、蓋側面板１４が直立した図３の状態から蓋側面板２７のＲ形状３４を降下させるように折り目ｃを谷折りする。Ｒ形状３４を降下させ、折り目ｃの谷折り度合いを高めることで、Ｒ形状３４が容器部４の容器上面板１８に形成された突出部２２と接触する。
【００４０】
さらに蓋側面板２７が突出部２２を押し下げることで押圧すると、図５に示されるように、突出部２２は、その先端が底面板１２方向へ押し曲げられる。押し曲げられた突出部２２は、Ｒ形状３４を摺動し、蓋側面板２７をさらに降下させる。さらに降下され、切り欠き部３１が突出部２２の位置にまで来た場合には、突出部２２は切り欠き部３１の中に押し曲げられた状態が解除され、挿入される（図４の実線で示される状態）。
【００４１】
同様にして対面側の降下した蓋側面板２６が突出部２１を押圧すると、突出部２１は、Ｒ形状３２を図５の状態に押し曲げられながら摺動する。さらに降下され、切り欠き部３０が突出部２１の位置にまで来た場合には、突出部２１は切り欠き部３０の中に挿入される。このようにして、図４に示される突出部と切り欠き部との嵌合構造が形成され、蓋された図１の紙製包装容器１となる。なお、降下の際には、底面側面板１１、底面側面板１１の外周面に蓋側面板２６、蓋側面板２７の内周面が重なるようにして容器部４を覆うように降下させる。
【００４２】
次に蓋部２を開け、紙製包装容器１の蓋を開く場合には、蓋側面板１４が底面板１２に対して垂直状態となった図３の状態から蓋側面板２７のＲ形状３４を上昇させるように折り目ｃを山折りするように押し上げる。図６に示されるように上昇すると突出部と切り欠き部との嵌合構造が解除され、が切り欠き部３１から排出される。すなわち、図６に示されるように排出された突出部２２は、その先端が容器上面板１８方向へ押し曲げられる。押し曲げられた突出部２２は、容器側面板２７が接触しなくなるまでＲ形状３４を摺動する。容器側面板２７が接触しなくなった後は、突出部２２の押し曲げられた状態が解除される。さらに容器側面板２７を上昇させ、蓋部２が直立した図３の状態とすることができ、蓋を開くことができる。
【００４３】
同様にして対面側の上昇した蓋側面板２６が突出部２１を押圧すると、突出部２１は、Ｒ形状３２を図６の状態に押し曲げられながら摺動する。さらに上昇され、容器側面板２７が接触しなくなった後は、突出部２１の押し曲げ状態が解除される。このようにして、図４に示される突出部と切り欠き部との嵌合構造が解除され、蓋が開かれた図３の紙製包装容器１とすることができ蓋を開くことができる。蓋を開くことで消費者は収容された菓子３３を食することができる。
【００４４】
本実施形態の紙製包装容器１は、嵌合構造がメインとなる面とは異なる側面に形成され、目立たない構造となっているので意匠性をより向上させることができる。すなわち、店頭販売時などの消費者などの目にとまりやすい、メインとなる上面および底面に嵌合構造を有さず、側面部に嵌合構造を有する。このように嵌合構造を設けると、例えば、上面を表面として、その表面に印刷される印刷態様などの障害となりにくい。
【００４５】
嵌合構造は、紙製包装容器１の上面部と側面部の境界線（折り目ｍ、ｎ）付近であると目立たないなどの理由によって好適であるが、これに限られず、境界線付近から底面部付近まで側面部全体に亘って適宜選択した位置に設けることができる。また、嵌合構造は、上面両側に設けていると好適であるが、これに限られることがない。少なくとも１側面方向であれば足り、片側であっても嵌合構造として十分である場合がある。なお、本実施形態とは逆に突出部を蓋部に設け、切り欠き部を容器部に設けた嵌合構造でもよい。
【００４６】
本実施形態では、突出部を設け、切り欠き部に挿入した後、嵌合しやすくなっているが、これに限られることがない。突出部を設けなくとも容器上面板１８の一端が挿入されることは可能であり、突出部を設けたことは好適な要件である。
【００４７】
本実施形態では、包装容器は、好適なものとして略直方体形状となっているが、これに限られるものではない。好適な略立方体形状は勿論、六面体が好適である。さらに、他の三次元立体、例えば、三角柱状形状、八面体など多面体、底面板および上面板が矩形、台形、四角形、五角形、六角形、八角形、十角形の紙製包装容器にも適用できる。本実施形態では側面は上面、底面よりも低面積であるがこれに限られず、上面、底面よりも大面積であってもよい。
【００４８】
本実施形態では、紙製包装容器を例示したが紙製に限定されるものではない。紙を用いる場合は、例えば、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。また、プラスチック材、木材、などの異なる材料から包装容器が作製されてもよい。
【００４９】
プラスチック材であれば、熱可塑性樹脂、熱硬化性樹脂、生分解性プラスチック一般（例えばポリ乳酸を含有するプラスチック）、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルム、コンデンサー紙、パラフィン紙、不織布、アルミニウム箔や、これらを複合したフィルムを用いてもよい。
【図面の簡単な説明】
【００５０】
【図１】本実施形態における包装容器を示す斜視図である。
【図２】本実施形態における包装容器の展開図である。
【図３】本実施形態における包装容器を示す斜視図である。
【図４】本実施形態における包装容器の開閉の説明図である。
【図５】本実施形態における包装容器の開閉の説明図である。
【図６】本実施形態における包装容器の開閉の説明図である。
【符号の説明】
【００５１】
１  包装容器
２  蓋部
４  容器部
【図１】
0004671281.tif 000002
【図２】
0004671281.tif 000003
【図３】
0004671281.tif 000004
【図４】
0004671281.tif 000005
【図５】
0004671281.tif 000006
【図６】
0004671281.tif 000007